(57)【要約】【課題】フレーム同期がはずれた後、正常な復調データを出力するまでの時間の低減を図る。【解決手段】チューナからの信号を受け取って同期処理を行うと共に、所定の復調処理を行うデジタル放送復調方法であって、第１の同期過程Ｐ１０におけるフレーム同期時の各同期処理の検出値を保持し、該保持された各同期処理の検出値を、第２の同期過程Ｐ２０における対応する同期処理に使用するように構成する。【選択図】図４
2009010622.tif 000002
【特許請求の範囲】
【請求項１】
チューナからの信号を受け取って同期処理を行うと共に、所定の復調処理を行うデジタル放送復調装置であって、
第１の同期過程におけるフレーム同期時の各同期処理の検出値を保持する保持手段と、
該保持手段に保持された各同期処理の検出値を、第２の同期過程における対応する同期処理に使用するように制御する制御手段と、を備えることを特徴とするデジタル放送復調装置。
【請求項２】
請求項１に記載のデジタル放送復調装置において、
前記第１の同期過程は、チャネル設定および該デジタル放送復調装置の初期化の後に行われる受信開始同期過程であり、且つ、前記第２の同期過程は、フレーム同期はずれが生じた後に行われる再同期過程であることを特徴とするデジタル放送復調装置。
【請求項３】
請求項１または２に記載のデジタル放送復調装置において、
前記制御手段は、前記保持手段に保持された各同期処理の検出値を、チャネル変更信号，フレーム同期はずれ信号および保持値適用選択信号を用いて制御することを特徴とするデジタル放送復調装置。
【請求項４】
請求項２または３に記載のデジタル放送復調装置において、
さらに、前記再同期過程の回数が一定値以上になったときに、前記保持手段に保持された前記フレーム同期時の各検出値を破棄して新たに同期処理を行う手段を備えることを特徴とするデジタル放送復調装置。
【請求項５】
チューナからの信号を受け取って同期処理を行うと共に、所定の復調処理を行うデジタル放送復調方法であって、
第１の同期過程におけるフレーム同期時の各同期処理の検出値を保持し、
該保持された各同期処理の検出値を、第２の同期過程における対応する同期処理に使用することを特徴とするデジタル放送復調方法。
【発明の詳細な説明】
【技術分野】
【０００１】
本発明は、デジタル放送復調装置およびデジタル放送復調方法に関し、特に、チューナからの出力信号を受け取り、基準信号に同期した内部クロックを使用して所定の復調処理を行うデジタル放送復調装置およびデジタル放送復調方法に関する。
【背景技術】
【０００２】
近年、移動体端末向け地上波デジタル放送（ワンセグ放送）が開始され、例えば、ワンセグ放送の受信機能を有する携帯電話やＰＤＡ等の携帯端末、或いは、コンピュータのＵＳＢ端子に差し込んで使用するワンセグ放送の受信装置などが提供されている。
【０００３】
図１はデジタル放送復調装置が適用されるデジタル放送受信機の全体構成の一例を概略的に示すブロック図であり、ワンセグ放送の受信機能を有する携帯電話の例を示すものである。
【０００４】
図１において、参照符号１はアンテナ，２はチューナ（ＲＦ部），３はデジタル放送復調装置（ＯＦＤＭ復調部），４はデジタル放送受信用モジュール（ワンセグ放送受信モジュール），５は画像・音声処理部，６はＣＰＵ，７はディスプレイ，そして，８はスピーカを示している。
【０００５】
図１に示されるように、例えば、ワンセグ放送受信機は、アンテナ１と、アンテナ１を介して各チャネルの信号（ＵＨＦ信号）を受信するワンセグ放送受信モジュール（Front-end部）４と、ワンセグ放送受信モジュール４からのデジタル信号を処理する画像・音声処理部（Back-end部）５と、ＣＰＵ６と、画像を表示するディスプレイ７と、音声を出力するスピーカ８とを備えている。
【０００６】
ワンセグ放送受信モジュール４は、受信チャネルの信号をいったん中間周波数信号（ＩＦ信号）に変換するＲＦ部２、および、ＩＦ信号からデジタル信号（ＭＰＥＧ２，ＴＳ：トランスポート・ストリーム）を取り出すＯＦＤＭ復調部３を備えている。
【０００７】
そして、ＯＦＤＭ復調部３からのＴＳ信号は画像・音声処理部５で処理され、その処理された画像はディスプレイ７に表示されると共に、その処理された音声はスピーカ８から出力される。ここで、ワンセグ放送受信モジュール４および画像・音声処理部５は、例えば、携帯電話等の本体のＣＰＵ６の制御に従って処理を行うようになっている。
【０００８】
なお、デジタル放送受信機は、ワンセグ放送を受信するためのものに限定されるものではなく、また、デジタル放送受信機も携帯電話に搭載されるものに限定されるものではない。
【０００９】
図２は図１におけるデジタル放送復調装置の一例を示すブロック図である。
図２に示されるように、デジタル放送復調装置（ＯＦＤＭ復調部）３は、チューナ（ＲＦ部）２からの信号を受け取り、ＴＳデータを出力するものであり、Ａ／Ｄ変換回路３１，復調処理回路３２，誤り訂正回路３３，同期処理回路３４およびフレーム同期回路３５を備えている。なお、ＯＦＤＭ復調部３は、さらに、基準クロックを受け取るＰＬＬ回路や分周回路等も備えるが、本発明に直接関係しないため、図２では省略されている。
【００１０】
同期処理回路３４は、Ａ／Ｄ変換回路３１の出力から、モード検出，キャリア同期，クロック同期およびキャリア周波数ずれ検出等の同期処理を行って、復調処理回路３２にＯＦＤＭ復調を行わせる。また、フレーム同期回路３５は、フレーム同期処理を行って、誤り訂正回路３３にＴＭＣＣ（Transmission Mode Control Channel）誤り訂正を行わせる。
【００１１】
そして、Ａ／Ｄ変換回路３１は、ＲＦ部２からの信号（ＩＦ信号）を受け取ってアナログ・デジタル変換を行い、また、復調処理回路３２は、Ａ／Ｄ変換回路３０１の出力信号を復調処理し、さらに、誤り訂正回路３３は、復調処理回路３２の出力信号の誤り訂正を行ってＴＳデータ（ＭＰＥＧ２のＴＳ信号）を出力する。
【００１２】
図３は従来のデジタル放送復調装置に適用されるデジタル放送復調方法の一例における課題を説明するための図である。
【００１３】
図３に示されるように、従来のデジタル放送復調方法の一例において、例えば、チャネルが設定されてデジタル放送復調装置３が初期化されると、受信開始時の同期処理（受信開始同期過程）Ｐ１０が行われる。この受信開始同期過程Ｐ１０では、初期状態処理およびモード検出処理と共に、クロック同期処理，キャリア同期処理，キャリアずれ補正処理，並びに，フレーム同期処理が行われる。
【００１４】
さらに、例えば、フレーム同期はずれが生じると、再同期を行うための同期処理（再同期過程）Ｐ２０が行われる。従来のデジタル放送復調装置において、この再同期過程Ｐ２０では、上述した受信開始同期過程Ｐ１０と同様に、初期状態処理およびモード検出処理と共に、クロック同期処理，キャリア同期処理，キャリアずれ補正処理およびフレーム同期処理が行われる。
【００１５】
なお、フレーム同期はずれは、例えば、デジタル放送を携帯端末や車載端末で移動受信するような場合、受信環境が劣悪なために頻発することがある。
【００１６】
ところで、従来、電圧制御発振器の制御電圧の初期値をメモリに記憶しておき、非同期時時には、メモリに記憶した制御電圧を電圧制御発振器の制御電圧端子に印加することで瞬時に引込み可能状態として再同期させるまでの時間を短縮するようにしたＰＬＬ発振器が提案されている（例えば、特許文献１参照）。
【００１７】
さらに、従来、同期した時の制御電圧をロック状態記憶回路（データ保持回路）に保持しておき、同期はずれが発生した場合には、ロック状態再現回路により、ロック状態記憶回路に保持された同期時の制御電圧の値を使用して再同期を行うことで再同期時間を短縮化するＰＬＬ回路も提案されている（例えば、特許文献２参照）。
【００１８】
【特許文献１】特開平０４−３６９９２７号公報
【特許文献２】特開平０５−１１４８５７号公報
【発明の開示】
【発明が解決しようとする課題】
【００１９】
上述したように、ワンセグ放送等のデジタル放送を携帯端末や車載端末で移動受信するような場合、受信環境が劣悪なためにフレーム同期はずれが頻発することがあった。そして、従来のデジタル放送復調装置において、フレーム同期はずれが生じて再同期を行うための再同期過程）が行われる。
【００２０】
図３を参照して説明したように、従来のデジタル放送復調装置において、再同期過程Ｐ２０は、受信開始時の受信開始同期過程Ｐ１０と同様の処理を行うようになっているため、フレーム同期がはずれた後に受信環境が改善しても、正常な復調データを出力するまでに時間を要する（例えば、４４６ｍｓｅｃ〜６５９ｍｓｅｃ）ことになっていた。
【００２１】
すなわち、従来のデジタル放送復調装置は、モード検出処理，クロック同期処理，キャリア同期処理およびキャリアずれ補正処理といった複雑で時間のかかる同期処理を行った後、所定のパラメータで受信データの復調処理および誤り訂正処理を行わなければならず、正常な復調データを出力するには相当の時間が必要となっていた。
【００２２】
なお、図３において、再同期過程Ｐ２０の時間が４４６ｍｓｅｃ〜６５９ｍｓｅｃと幅があるのは、フレーム同期処理を開始するのが対象となるフレームの開始位置の直前か、或いは、開始位置の直後かによって同期処理を行うタイミングが異なるからである。
【００２３】
本発明は、上述した従来技術が有する課題に鑑み、フレーム同期がはずれた後、正常な復調データを出力するまでの時間を低減することのできるデジタル放送復調装置およびデジタル放送復調方法の提供を目的とする。
【課題を解決するための手段】
【００２４】
本発明の第１の形態によれば、チューナからの信号を受け取って同期処理を行うと共に、所定の復調処理を行うデジタル放送復調装置であって、第１の同期過程におけるフレーム同期時の各同期処理の検出値を保持する保持手段と、該保持手段に保持された各同期処理の検出値を、第２の同期過程における対応する同期処理に使用するように制御する制御手段と、を備えることを特徴とするデジタル放送復調装置が提供される。
【００２５】
本発明の第２の形態によれば、チューナからの信号を受け取って同期処理を行うと共に、所定の復調処理を行うデジタル放送復調方法であって、第１の同期過程におけるフレーム同期時の各同期処理の検出値を保持し、該保持された各同期処理の検出値を、第２の同期過程における対応する同期処理に使用することを特徴とするデジタル放送復調方法が提供される。
【発明の効果】
【００２６】
本発明によれば、フレーム同期がはずれた場合、正常な復調データを出力するまでの時間を低減することのできるデジタル放送復調装置およびデジタル放送復調方法を提供することができる。
【発明を実施するための最良の形態】
【００２７】
以下、本発明に係るデジタル放送復調装置およびデジタル放送復調方法の実施例を、添付図面を参照して詳述する。
【実施例】
【００２８】
図４は本発明に係るデジタル放送復調装置に適用されるデジタル放送復調方法の一実施例を説明するための図である。
【００２９】
図４と前述した図３との比較から明らかなように、本実施例のデジタル放送復調方法では、再同期過程Ｐ２を受信開始同期過程Ｐ１よりも少ない同期処理で構成して時間を短縮するようになっている。
【００３０】
具体的に、本実施例の再同期過程Ｐ２では、初期状態処理およびフレーム同期処理のみを行い、他のモード検出処理，クロック同期処理，キャリア同期処理，並びに，キャリアずれ補正処理（キャリア周波数ずれ検出処理およびＴＭＣＣ誤り訂正処理）は、フレーム同期していたときの検出値をそのまま使用するようになっている。すなわち、再同期過程Ｐ２では、モード検出処理，クロック同期処理，キャリア同期処理およびキャリアずれ補正処理といった各同期処理をスルーして再同期過程Ｐ２に要する時間を低減することができる。
【００３１】
具体的に、本実施例のデジタル放送復調装置において、再同期過程Ｐ２は、例えば、初期状態処理およびフレーム同期処理による３６ｍｓｅｃ〜２４９ｍｓｅｃとすることができる。なお、図４において、再同期過程Ｐ２の時間が３６ｍｓｅｃ〜２４９ｍｓｅｃと幅があるのは、フレーム同期処理を開始するのが対象となるフレームの開始位置の直前か、或いは、開始位置の直後かによって同期処理を行うタイミングが異なるからである。
【００３２】
これにより、例えば、一旦フレーム同期した後、チャネル変更がないにも関わらず受信環境が悪化してフレーム同期はずれが生じた場合、フレーム同期した時の各同期処理（モード検出処理，クロック同期処理，キャリア同期処理およびキャリアずれ補正処理）の値を検出して保持し、その保持された検出値を用いることで、再同期過程Ｐ２におけるモード検出処理，クロック同期処理，キャリア同期処理およびキャリアずれ補正処理（キャリア周波数ずれ検出処理およびＴＭＣＣ誤り訂正処理）をスルーして、正常な復調データを出力するまでの時間を低減することができる。
【００３３】
図５は本発明に係るデジタル放送復調装置の一実施例を示すブロック図である。
図５に示されるように、同期処理回路３４は、モード検出処理回路３４１，クロック同期処理回路３４２，キャリア同期処理回路３４３，キャリアずれ補正処理回路３４４および誤差計算部３４５を備えている。
【００３４】
モード検出処理回路３４１は、モード検出部３４１１を備え、クロック同期処理回路３４２は、誤差補正部３４２１およびループフィルタ３４２２を備え、キャリア同期処理回路３４３は、誤差補正部３４３１およびループフィルタ３４３２を備えている。また、キャリアずれ補正処理回路３４４は、ＦＦＴ（Fast Fourier Transform：高速フーリエ変換）部３４４１およびキャリア周波数ずれ計算部３４４２を備えている。なお、誤り訂正回路３３は、ＴＭＣＣ検出部３３１を備えている。
【００３５】
ここで、図５に示されるように、モード検出部３４１１，ループフィルタ３４２２および３４３２およびキャリア周波数ずれ計算部３４４２には制御信号Ｓ１〜Ｓ４が入力され、それぞれフレーム同期時におけるモード検出処理，クロック同期処理，キャリア同期処理およびキャリアずれ補正処理の検出値を保持すると共に、その保持された各処理の検出値を再同期過程において使用できるように制御している。同様に、ＴＭＣＣ検出部３３１にも制御信号Ｓ５が入力され、フレーム同期時におけるＴＭＣＣ検出値を保持すると共に、その保持されたＴＭＣＣ検出値を再同期過程において使用できるように制御している。
【００３６】
図６および図７は本発明に係るデジタル放送復調装置の一実施例を説明するための図であり、図６は検出値の保持と保持された検出値の使用を説明するものであり、また、図７は制御信号Ｓ０を生成する回路を説明するためのものである。
【００３７】
図６に示されるように、通常状態では、制御信号Ｓ０は”０”となっており、通常状態の検出値（受信開始同期過程で得られた検出値）は、そのままセレクタ１１を介してレジスタ１２に保持されるようになっている。そして、例えば、フレーム同期はずれが生じた後の再同期過程においては、制御信号Ｓ０が”１”となってセレクタ１１によりレジスタ１２に保持された値（受信開始同期過程で得られた検出値）がそのまま検出値として出力される。すなわち、再同期過程においては、制御信号Ｓ０でセレクタ１１を制御することにより同期処理を行わずに、レジスタ１２に保持された検出値を使用するようになっている。
【００３８】
また、図７に示されるように、制御信号Ｓ０（図５における各制御信号Ｓ１〜Ｓ５に対応）は、２つのＡＮＤゲート１３および１４により生成され、チャネル変更信号，フレーム同期はずれ信号および保持値適用選択信号の論理により生成される。すなわち、チャネルの変更がなく（チャネル変更信号が”１”）、フレーム同期はずれがあり（フレーム同期はずれ信号が”１”）、そして、レジスタ（１２）に保持された検出値を使用する場合（保持値適用選択信号が”１”）のみ、制御信号Ｓ０（Ｓ１〜Ｓ５）が”１”となってレジスタ１２に保持された検出値を再同期過程において使用（適用）するようになっている。
【００３９】
なお、図７の回路では、保持値適用選択信号を必要に応じて設定することにより、再同期過程において、全ての制御信号Ｓ１〜Ｓ５を”１”としてレジスタ１２に保持された検出値の全てを使用することなく、検出値の変化傾向と同期時間の短縮効果を考慮して、例えば、モード検出処理およびキャリアずれ補正処理のみ保持された検出値を使用するといったことも可能である。
【００４０】
図８は本発明に係るデジタル放送復調装置の他の実施例を説明するための図である。
上述した図６と図８との比較から明らかなように、本実施例では、図６におけるレジスタ１２が、誤り訂正完了信号（ＴＭＣＣ誤り訂正完了信号）により保持動作が制御されるレジルタ１２’として構成されている。
【００４１】
すなわち、例えば、誤り訂正回路（ＴＭＣＣ誤り訂正回路）３３において、ＴＭＣＣ誤り訂正が正常に完了した場合に出力されるＴＭＣＣ誤り訂正完了信号を受け取って、ＴＭＣＣ誤り訂正が正常に完了した場合の検出値のみをレジスタ１２’に保持するようになっている。
【００４２】
図９は本発明に係るデジタル放送復調装置のさらに他の実施例を説明するための図である。
【００４３】
上述した図７と図９との比較から明らかなように、本実施例では、図７の２つのＡＮＤゲート１３および１４に加えて、ＡＮＤゲート１４の出力と再同期制御信号（再同期回数が一定以上のときに”０”、一定より下のときに”１”）との論理積を取るＡＮＤゲート１５を設け、再同期過程の回数が一定値（例えば、１０回）以上になるような場合には、レジスタ１２に保持された検出値ではなく、新たに従来と同様の同期処理を行うようにしたものである。
【００４４】
これは、例えば、トンネルを通過する場合、そのトンネルの入口と出口で同じチャネルに対して異なるエリアのチャネル設定がなされているような場合、レジスタ１２に保持されているそれまで（例えば、トンネルの入口側）の検出値では同期をとることができないため、予め再同期過程の回数を規定しておき、それ以上、再同期過程が繰り返される場合には、その場所（例えば、トンネルの出口側）では、レジスタ１２に保持されている検出値を使用することができないとして、その検出値を破棄して新たに同期処理を行うようにしたものである。
【００４５】
このように、本発明によれば、受信環境が劣悪でフレーム同期はずれが頻繁に生じる場合でも、再同期過程の時間が短縮されるため、受信環境が改善した後、正常な復調データを出力するまでの時間を短縮することが可能になる。
【００４６】
図１０は本発明が適用される情報表示プログラムおよび情報表示プログラムを記録した媒体の例を説明するための図である。図１０において、参照符号４１０は処理装置、４２０はプログラム（データ）提供者、そして、４３０は可搬型記録媒体を示している。なお、図１０では、処理装置として携帯電話を示しているが、本発明の適用は携帯電話に限定されるものでないのは前述した通りである。
【００４７】
本発明は、例えば、図１０に示すような処理装置４１０に対するプログラム（データ）として与えられ、処理装置４１０により実行される。処理装置４１０は、プロセッサを含む演算処理装置本体４１１、および、演算処理装置本体４１１に対してプログラム（データ）を与え或いは処理された結果を格納する処理装置側メモリ（例えば、ＲＡＭ（Random Access Memory））４１２等を備える。処理装置４１０に提供されたプログラムは、ローディングされて処理装置４１０のメインメモリ上で実行される。
【００４８】
プログラム提供者４２０は、プログラムを格納する手段（回線先メモリ：例えば、ＤＡＳＤ（Direct Access Storage Device））４２１を有し、例えば、インターネット等の回線を介してプログラムを処理装置４１０に提供し、或いは、Mini−ＳＤやMicro−ＳＤといったメモリカードや様々なインターフェースまたはコンピュータ等を介した光ディスクまたは磁気ディスク等の様々な可搬型記録媒体４３０を介して処理装置４１０に提供する。本発明に係る情報表示プログラムを記録した媒体は、上記の処理装置側メモリ４１２、回線先メモリ４２１、および、可搬型記録媒体４３０等の様々なものを含むのはいうまでもない。
【００４９】
（付記１）
チューナからの信号を受け取って同期処理を行うと共に、所定の復調処理を行うデジタル放送復調装置であって、
第１の同期過程におけるフレーム同期時の各同期処理の検出値を保持する保持手段と、
該保持手段に保持された各同期処理の検出値を、第２の同期過程における対応する同期処理に使用するように制御する制御手段と、を備えることを特徴とするデジタル放送復調装置。
【００５０】
（付記２）
付記１に記載のデジタル放送復調装置において、
前記第１の同期過程は、チャネル設定および該デジタル放送復調装置の初期化の後に行われる受信開始同期過程であり、且つ、前記第２の同期過程は、フレーム同期はずれが生じた後に行われる再同期過程であることを特徴とするデジタル放送復調装置。
【００５１】
（付記３）
付記１または２に記載のデジタル放送復調装置において、
前記制御手段は、前記保持手段に保持された各同期処理の検出値を、チャネル変更信号，フレーム同期はずれ信号および保持値適用選択信号を用いて制御することを特徴とするデジタル放送復調装置。
【００５２】
（付記４）
付記１〜３のいずれか１項に記載のデジタル放送復調装置において、
前記保持手段に保持された各同期処理の検出値は、モード検出処理，キャリア同期処理，クロック同期処理およびキャリア周波数ずれ補正処理における検出値を含むことを特徴とするデジタル放送復調装置。
【００５３】
（付記５）
付記４項に記載のデジタル放送復調装置において、
前記保持手段に保持された各同期処理の検出値は、さらに、ＴＭＣＣ誤り訂正における検出値を含むことを特徴とするデジタル放送復調装置。
【００５４】
（付記６）
付記１〜５のいずれか１項に記載のデジタル放送復調装置において、
前記保持手段は、前記第１の同期過程において正常にＴＭＣＣ誤り訂正が行われた場合に当該第１の同期過程におけるフレーム同期時の各同期処理の検出値を保持することを特徴とするデジタル放送復調装置。
【００５５】
（付記７）
付記２〜６のいずれか１項に記載のデジタル放送復調装置において、
さらに、前記再同期過程の回数が一定値以上になったときに、前記保持手段に保持された前記フレーム同期時の各検出値を破棄して新たに同期処理を行う手段を備えることを特徴とするデジタル放送復調装置。
【００５６】
（付記８）
付記１〜７のいずれか１項に記載のデジタル放送復調装置において、
該デジタル放送復調装置は、前記チューナからのＩＦ信号を受け取ってアナログ／デジタル変換を行うＡ／Ｄ変換回路，該Ａ／Ｄ変換回路の出力を復調処理する復調処理回路，および，該復調処理回路の出力信号の誤り訂正を行ってデジタル信号を出力する誤り訂正回路を有するワンセグ放送受信モジュールのＯＦＤＭ復調部であることを特徴とするデジタル放送復調装置。
【００５７】
（付記９）
チューナからの信号を受け取って同期処理を行うと共に、所定の復調処理を行うデジタル放送復調方法であって、
第１の同期過程におけるフレーム同期時の各同期処理の検出値を保持し、
該保持された各同期処理の検出値を、第２の同期過程における対応する同期処理に使用することを特徴とするデジタル放送復調方法。
【００５８】
（付記１０）
付記９に記載のデジタル放送復調方法において、
前記第１の同期過程は、チャネル設定および初期化の後に行われる受信開始同期過程であり、且つ、前記第２の同期過程は、フレーム同期はずれが生じた後に行われる再同期過程であることを特徴とするデジタル放送復調方法。
【００５９】
（付記１１）
付記９または１０に記載のデジタル放送復調方法において、
前記保持された各同期処理の検出値を、チャネル変更信号，フレーム同期はずれ信号および保持値適用選択信号を用いて制御することを特徴とするデジタル放送復調方法。
【００６０】
（付記１２）
付記９〜１１のいずれか１項に記載のデジタル放送復調方法において、
前記保持された各同期処理の検出値は、モード検出処理，キャリア同期処理，クロック同期処理およびキャリア周波数ずれ補正処理における検出値を含むことを特徴とするデジタル放送復調方法。
【００６１】
（付記１３）
付記１２項に記載のデジタル放送復調方法において、
前記保持された各同期処理の検出値は、さらに、ＴＭＣＣ誤り訂正における検出値を含むことを特徴とするデジタル放送復調方法。
【００６２】
（付記１４）
付記９〜１３のいずれか１項に記載のデジタル放送復調方法において、
前記保持された各同期処理の検出値は、前記第１の同期過程において正常にＴＭＣＣ誤り訂正が行われた場合に当該第１の同期過程におけるフレーム同期時の各同期処理の検出値として保持されることを特徴とするデジタル放送復調方法。
【００６３】
（付記１５）
付記１０〜１４のいずれか１項に記載のデジタル放送復調方法において、
さらに、再同期の回数を計数し、該再同期回数が一定値以上になったときに、前記保持手段に保持された前記フレーム同期時の各検出値を破棄して新たに同期処理を行うことを特徴とするデジタル放送復調方法。
【００６４】
（付記１６）
付記９〜１５のいずれか１項に記載のデジタル放送復調方法において、
該デジタル放送復調方法は、前記チューナからのＩＦ信号を受け取ってアナログ／デジタル変換を行うＡ／Ｄ変換回路，該Ａ／Ｄ変換回路の出力を復調処理する復調処理回路，および，該復調処理回路の出力信号の誤り訂正を行ってデジタル信号を出力する誤り訂正回路を有するワンセグ放送受信モジュールのＯＦＤＭ復調部に対して適用されることを特徴とするデジタル放送復調方法。
【産業上の利用可能性】
【００６５】
本発明は、例えば、携帯電話を始めとする携帯端末用の移動体端末向け地上波デジタル放送（ワンセグ放送）のワンセグ放送受信モジュール、特に、ワンセグ放送受信モジュールのデジタル放送復調装置（ＯＦＤＭ復調部）に適用することができ、また、移動体端末以外のワンセグ放送受信モジュール、さらには、ワンセグ放送用以外の受信モジュールの復調装置として幅広く適用することができる。
【図面の簡単な説明】
【００６６】
【図１】デジタル放送復調装置が適用されるデジタル放送受信機の全体構成の一例を概略的に示すブロック図である。
【図２】図１におけるデジタル放送復調装置の一例を示すブロック図である。
【図３】従来のデジタル放送復調装置に適用されるデジタル放送復調方法の一例における課題を説明するための図である。
【図４】本発明に係るデジタル放送復調装置に適用されるデジタル放送復調方法の一実施例を説明するための図である。
【図５】本発明に係るデジタル放送復調装置の一実施例を示すブロック図である。
【図６】本発明に係るデジタル放送復調装置の一実施例を説明するための図（その１）である。
【図７】本発明に係るデジタル放送復調装置の一実施例を説明するための図（その２）である。
【図８】本発明に係るデジタル放送復調装置の他の実施例を説明するための図である。
【図９】本発明に係るデジタル放送復調装置のさらに他の実施例を説明するための図である。
【図１０】本発明が適用されるデジタル放送復調プログラムおよびデジタル放送復調プログラムを記録した媒体の例を説明するための図である。
【符号の説明】
【００６７】
１    アンテナ
２    チューナ（ＲＦ部）
３    デジタル放送復調装置（ＯＦＤＭ復調部）
４    デジタル放送受信用モジュール（ワンセグ放送受信モジュール）
５    画像・音声処理部
６    ＣＰＵ
７    ディスプレイ
８    スピーカ
３１    Ａ／Ｄ変換回路
３２    復調処理回路
３３    誤り訂正回路
３４    同期処理回路
３５    フレーム同期回路
４１０    処理装置
４１１    演算処理装置本体
４１２    処理装置側メモリ
４２０    プログラム（データ）提供者
４２１    プログラムを格納する手段（回線先メモリ）
４３０    可搬型記録媒体
【図１】
2009010622.tif 000003
【図２】
2009010622.tif 000004
【図３】
2009010622.tif 000005
【図４】
2009010622.tif 000006
【図５】
2009010622.tif 000007
【図６】
2009010622.tif 000008
【図７】
2009010622.tif 000009
【図８】
2009010622.tif 000010
【図９】
2009010622.tif 000011
【図１０】
2009010622.tif 000012